(57)【特許請求の範囲】
【請求項１】
ボックスもしくはコンテナ（１）の底部（６）にヒンジ結合された折畳み可能な側壁（２，３，４，５）をロック解除するための装置であって、側壁（２，３，４，５）のうち、互いに反対の側に位置する両端壁（４，５）が、隣り合った側壁（２，３）にロック可能であり、ロック解除が、ばね弾性的にプリロードがかけられた状態で端壁（４，５）の外面に配置されていると共にガイドされているブラケット状に形成された作動部材（１３）の上昇運動によって行われるようになっており、該作動部材（１３）に対応して、該作動部材（１３）の、昇降方向（１４）で見て上向きに突出したブラケット端部（１５）を有する外側の両端部に、運動変向手段（１６，１７）が配置されており、該運動変向手段（１６，１７）が、作動部材（１３）の持上げ時には鉛直な運動を、前記側壁をロック解除する水平な運動に変向させるようになっており、ロック解除ウェブ（１９）が、側壁（２，３）の、端壁（４，５）内に係止されたばね舌片状のロック手段（１０）に衝突して、該ロック手段（１０）を側壁（２，３）の、端壁（４，５）を緊締する係止座から押し出すようになっているロック解除するための装置において、作動部材（１３）が、スライド壁エレメント（２６）に配置されており、該スライド壁エレメント（２６）が、端壁（４，５）の、上向きに開く壁開口部（２４）において、該壁開口部（２４）の、端壁（４，５）に続くサイドガイド（２５ａ，２５ｂ）で、端壁（４，５）に対して平行な鉛直な方向に、壁開口部（２４）を閉鎖する位置または壁開口部（２４）を開放する位置へ移動可能であり、作動部材（１３）のブラケット端部（１５）と協働する運動変向手段（１７，１８，１９）が、スライド壁エレメント（２６）の移動運動時に、壁開口部（２４）に側方で隣り合って端壁（４，５）内に組込み位置で残されていることを特徴とする、ボックスもしくはコンテナの底部にヒンジ結合された折畳み可能な側壁をロック解除するための装置。
【請求項２】
ブラケット端部（１５）が、それぞれ鉛直な方向で斜めに延びる操作ウェブ（１６）を備えて形成されており、該操作ウェブ（１６）が、壁開口部（２４）の左右両側に配置されたロック解除エレメント（１８）の、斜めに延びる相補的な断面Ｕ字形ガイド（１７）内に係合するようになっている、請求項１記載の装置。
【請求項３】
ロック解除エレメント（１８）が、操作ウェブ（１６）を収容する断面Ｕ字形ガイド（１７）を起点として、該断面Ｕ字形ガイド（１７）に水平に続くロック解除ウェブ（１９）を備えており、該ロック解除ウェブ（１９）が、それぞれ隣接した長手方向壁（２，３）の角隅範囲に形成された、端壁（４，５）内に係止されたばね舌片（１０）に衝突するようになっている、請求項２記載の装置。
【請求項４】
水平なロック解除ウェブ（１９）が、その上下のウェブ面にばねアーム（２２）を備えて形成されており、該ばねアーム（２２）が、端壁（４，５）の範囲内の補強リブ（１１，１２）に支持されている、請求項３記載の装置。
【請求項５】
スライド壁エレメント（２６）が、その下側の端部に成形されたフレキシブルなグリップポケット（２８）を有しており、該グリップポケット（２８）が、コンテナ内部に向けられた張出し部（２９）を備えて形成されており、該張出し部（２９）が、壁開口部（２４）を閉鎖する位置で該壁開口部（２４）の水平な端縁部（３１）に載置されている、請求項１から４までのいずれか１項記載の装置。
【請求項６】
張出し部（２９）が、下方から上方に楔状に先細りに延びて形成されている、請求項５記載の装置。
【請求項７】
グリップポケット（２８）が、鉛直スリット（２７）を介して空隙を備えてスライド壁エレメント（２６）に配置されている、請求項５または６記載の装置。
【請求項８】
グリップポケット（２８）の上方で鉛直スリット（２７）の間のほぼ中間に配置された、引張負荷時のグリップポケット（２８）の最大の運動自由度を規定するウェブ（４４）が設けられている、請求項５から７までのいずれか１項記載の装置。
【請求項９】
張出し部（２９）に対応して、スライド壁エレメント（２６）の下方に移動させられた終端位置において端壁（４，５）に収容部（３４）が配置されている、請求項５から８までのいずれか１項記載の装置。
【請求項１０】
張出し部（２９）の、壁開口部（２４）の端縁部（３１）に載置される面の高さにおいて、スライド壁エレメント（２６）の内面に、鉛直スリット（２７）に対して直角に線形に延びる突出部（４３）が設けられている、請求項５から９までのいずれか１項記載の装置。
【請求項１１】
スライド壁エレメント（２６）が、その全高さにわたって内向きに開いた、互いに間隔を置いて配置されたガイド通路（３２）を有しており、該ガイド通路（３２）の延長線上において、端壁（４，５）の外面に、該端壁（４，５）の基端部にまで達した、ガイド通路（３２）内に係合する鉛直リブ（３３）が形成されている、請求項１から１０までのいずれか１項記載の装置。
【請求項１２】
端壁（４，５）のサイドガイド（２５ａ，２５ｂ）が、壁開口部（２４）の上側の端部に、互いに向かい合ってそれぞれ１つの肩部状の支持ずれ部（３６）を備えて形成されており、該支持ずれ部（３６）が、下方から開いた中空室を有しており、該中空室内に、スライド壁エレメント（２６）の持ち上げられた終端位置において、該スライド壁エレメント（２６）の上側の角隅範囲に起立した状態に一体成形されたスライド壁突起（３５）が進入している、請求項１から１１までのいずれか１項記載の装置。
【請求項１３】
一方のサイドガイド（２５ａ）が、壁開口部（２４）の下方の一部区分にわたって凹部（４２）を備えて形成されている、請求項１から１２までのいずれか１項記載の装置。
【請求項１４】
サイドガイド（２５ａ，２５ｂ）とスライド壁エレメント（２６）とが、封止体開口（３９，４１）を備えており、該封止体開口（３９，４１）が、スライド壁エレメント（２６）の持ち上げられた終端位置において、封止体（４０）の取付けのために整合して延びている、請求項１から１３までのいずれか１項記載の装置。
【請求項１５】
スライド壁エレメント（２６）の、作動部材（１３）の組付けヘッド（３８）を収容するための十字スリット孔（３７）が設けられている、請求項１から１４までのいずれか１項記載の装置。
【発明の詳細な説明】
【技術分野】
【０００１】
本発明は、ボックスもしくはコンテナの底部にヒンジ結合された折畳み可能な側壁をロック解除するための装置であって、側壁のうち、互いに反対の側に位置する両端壁が、隣り合った側壁にロック可能であり、ロック解除が、ばね弾性的にプリロードがかけられた状態で補強リブを除いて端壁の外面に配置されていると共にガイドされているブラケット状に形成された作動部材の上昇運動によって行われるようになっており、該作動部材に対応して、該作動部材の、昇降方向で見て上向きに突出したブラケット端部を有する外側の両端部に、運動変向手段が配置されており、該運動変向手段が、作動部材の持上げ時には鉛直な運動を、前記側壁をロック解除する水平な運動に変向させるようになっており、ロック解除ウェブが、側壁の、端壁内に係止されたばね舌片状のロック手段に衝突して、該ロック手段を側壁の、端壁を緊締する係止座から押し出すようになっている装置に関する。
【０００２】
たとえばドイツ連邦共和国実用新案出願第９１１３５４９．４号明細書またはドイツ連邦共和国特許第１０１３７３２８号明細書により公知であるコンテナから生じる欠点は、過去の出願に基づき公知の冒頭で述べた装置によって、システム分離が可能となることにより回避することができる。このシステム分離では、ロックが、端壁に隣接した側壁によって設けられた、ブラケット状の作動部材のばねプリロードに左右されないロック手段によって常に保証される。先行した運動変向に基づき、作動部材はロック解除しか招かず、他方、ロックのためには作用しない。
【０００３】
これによって、いずれにせよ、折畳み可能であるかもしくは折合せ可能である壁を備えたコンテナの機能性を確保することができる。なぜならば、片手ブラケット式のロック解除機構の破損または損傷の場合でさえ、起立させられた壁のロックが不変に維持され続けるからである。制限されない機能性は、コンテナ壁を折り合わせるためのロック解除にも同様に当てはまる。なぜならば、ロックを片手ブラケット式のロック解除機構なしでも個別に手によって無効にすることができるからである。このためには、外側から端壁が打撃されさえすればよく、これによって、側壁のロック手段が係止座から滑り出す。
【０００４】
このような折りコンテナもしくは折畳みコンテナは、貯蔵ラックおよび外部との物流における種々異なる商品のオーダピッキング（選品）のために使用される。貯蔵ラックは複数のラック平面を有している。これらのラック平面には、オーダピッキングコンテナが貯蔵される。確かに、使用者は、視認高さに設けられた下側ないし中間のラック平面のコンテナを良好に覗き込むことができる。これによって、１つには、どのくらい多くの内容物がまだコンテナ内に存在しているのかを素早く認めることができる。もう１つには、内容物を取り出すかまたはコンテナを内容物で満たすために、難なくコンテナ内を把握することができる。しかし、使用者は、ラック平面において上側の高さに位置するコンテナをたいてい不都合にしか覗き込むことができない。さらに、高いコンテナ壁に基づき、コンテナ内への到達がさらに困難となる。この状況は、多くのラックシステムにおいて、一番上側のラック平面にしばしばコンテナが備えられないことに繋がってしまう。むしろ、中間ないし下側のラック平面の幅にわたる分配が行われる。これによって、使用者に対する過程が自動的に延長され、生産性が低下し、更には、多くのラック幅が必要となる。
【０００５】
実際には、オーダピッキング開口が設けられることによって前述した欠点を回避することができる折畳み可能なもしくは折合せ可能なコンテナが公知である。このためには、全周にわたって延びるフレームを除いて、ほぼ全ての端壁がそのヒンジを中心としてフラップとしてコンテナから離れる方向に旋回可能である。しかし、この場合には、再び別の欠点が生じてしまう。なぜならば、前方に離反旋回させられたかもしくは展開された端壁が、ラックシステムのライトユニットを隠してしまうかもしくは覆ってしまうことがあり、さらに、端壁もしくはフラップが搬送時に開放されることをなくすことができず、これによって、コンテナが自動的な搬送システムでの搬送時に引っ掛かって動かなくなってしまう危険があるからである。
【０００６】
したがって、本発明の課題は、主出願の対象の利点を使用しかつ維持したまま、同時に全ての要求に対応する取出し開口を、これに関して公知のコンテナの前述した欠点なしに提供するコンテナを創作することである。
【０００７】
この課題を解決するために本発明に係る装置によれば、作動部材が、スライド壁エレメントに配置されており、該スライド壁エレメントが、端壁の、上向きに開く壁開口部において、該壁開口部の、端壁に続くサイドガイドで、端壁に対して平行な鉛直な方向に、壁開口部を閉鎖する位置または壁開口部を開放する位置へ移動可能であり、作動部材のブラケット端部と協働する運動変向手段が、スライド壁エレメントの移動運動時に、壁開口部に側方で隣り合って端壁内に組込み位置で残されている。
【０００８】
本発明に係る装置の有利な態様によれば、ブラケット端部が、それぞれ鉛直な方向で斜めに延びる操作ウェブを備えて形成されており、該操作ウェブが、壁開口部の左右両側に配置されたロック解除エレメントの、斜めに延びる相補的な断面Ｕ字形ガイド内に係合するようになっている。
【０００９】
本発明に係る装置の有利な態様によれば、ロック解除エレメントが、操作ウェブを収容する断面Ｕ字形ガイドを起点として、該断面Ｕ字形ガイドに水平に続くロック解除ウェブを備えており、該ロック解除ウェブが、それぞれ隣接した長手方向壁の角隅範囲に形成された、端壁内に係止されたばね舌片に衝突するようになっている。
【００１０】
本発明に係る装置の有利な態様によれば、水平なロック解除ウェブが、その上下のウェブ面にばねアームを備えて形成されており、該ばねアームが、端壁の範囲内の補強リブに支持されている。
【００１１】
本発明に係る装置の有利な態様によれば、スライド壁エレメントが、その下側の端部に成形されたフレキシブルなグリップポケットを有しており、該グリップポケットが、コンテナ内部に向けられた張出し部を備えて形成されており、該張出し部が、壁開口部を閉鎖する位置で該壁開口部の水平な端縁部に載置されている。
【００１２】
本発明に係る装置の有利な態様によれば、張出し部が、下方から上方に楔状に先細りに延びて形成されている。
【００１３】
本発明に係る装置の有利な態様によれば、グリップポケットが、鉛直スリットを介して空隙を備えてスライド壁エレメントに配置されている。
【００１４】
本発明に係る装置の有利な態様によれば、グリップポケットの上方で鉛直スリットの間のほぼ中間に配置された、引張負荷時のグリップポケットの最大の運動自由度を規定するウェブが設けられている。
【００１５】
本発明に係る装置の有利な態様によれば、張出し部に対応して、スライド壁エレメントの下方に移動させられた終端位置において端壁に収容部が配置されている。
【００１６】
本発明に係る装置の有利な態様によれば、張出し部の、壁開口部の端縁部に載置される面の高さにおいて、スライド壁エレメントの内面に、鉛直スリットに対して直角に線形に延びる突出部が設けられている。
【００１７】
本発明に係る装置の有利な態様によれば、スライド壁エレメントが、その全高さにわたって内向きに開いた、互いに間隔を置いて配置されたガイド通路を有しており、該ガイド通路の延長線上において、端壁の外面に、該端壁の基端部にまで達した、ガイド通路内に係合する鉛直リブが形成されている。
【００１８】
本発明に係る装置の有利な態様によれば、端壁のサイドガイドが、壁開口部の上側の端部に、互いに向かい合ってそれぞれ１つの肩部状の支持ずれ部を備えて形成されており、該支持ずれ部が、下方から開いた中空室を有しており、該中空室内に、スライド壁エレメントの持ち上げられた終端位置において、該スライド壁エレメントの上側の角隅範囲に起立した状態に一体成形されたスライド壁突起が進入している。
【００１９】
本発明に係る装置の有利な態様によれば、一方のサイドガイドが、壁開口部の下方の一部区分にわたって凹部を備えて形成されている。
【００２０】
本発明に係る装置の有利な態様によれば、サイドガイドとスライド壁エレメントとが、封止体開口を備えており、該封止体開口が、スライド壁エレメントの持ち上げられた終端位置において、封止体の取付けのために整合して延びている。
【００２１】
本発明に係る装置の有利な態様によれば、スライド壁エレメントの、作動部材の組付けヘッドを収容するための十字スリット孔が設けられている。
【００２２】
前述した課題は、本発明によれば、作動部材が、スライド壁エレメントに配置されており、このスライド壁エレメントが、端壁の、上向きに開く壁開口部において、この壁開口部の、端壁に続くサイドガイドで、端壁に対して平行な鉛直な方向に、壁開口部を閉鎖する位置または壁開口部を開放する位置へ移動可能であり、作動部材のブラケット端部と協働する、つまり、相互作用する運動変向手段が、スライド壁エレメントの移動運動時に、壁開口部に側方で隣り合って端壁内に組込み位置で残されていることによって解決される。したがって、スライド壁エレメントは、少なくとも２つの互いに異なる位置をとることができる。つまり、上側の終端位置では、スライド壁エレメントが、壁開口部を完全に塞いでいて、ひいては、端壁もしくはコンテナを閉鎖している。もう１つ、下側の終端位置では、スライド壁エレメントが、壁開口部ひいてはコンテナ内部への妨害されない入口を開放しており、これによって、コンテナが上側のラック平面に載置されている場合でさえ、自由な覗込みが保証され、内容物への容易な到達が可能となる。
【００２３】
いずれにせよ、本発明によれば、スライド壁エレメントが下側の終端位置、すなわち、コンテナ内部への自由な入口を備えた終端位置に位置していると、コンテナの望ましくない折畳みが阻止される。なぜならば、作動部材が、壁開口部に隣り合って端壁内に残されたロック解除エレメントに接触していないからである。これによって、セーフティクロージャとしての機能が、制限されることなく果たされる。これに対して、コンテナを空（から）搬送のために折り畳みたい場合には、スライド壁エレメントが、壁開口部を完全に塞ぐ上側の終端位置に移動させられさえすればよい。なぜならば、押上げの運動実行中に片手グリップ式の作動部材がそのブラケット端部で自動的に端壁側のロック解除エレメントに接触し、これによって、端壁とのロックもしくは係止嵌合が、単に作動部材の引上げによって無効にされ、その結果、全てのコンテナ壁をそのヒンジを中心として内方に折り込むことができるからである。
【００２４】
本発明の有利な態様によれば、ブラケット端部が、それぞれ鉛直な方向で斜めに延びる操作ウェブを備えて形成されており、この操作ウェブが、左右両側で端壁内に配置されたロック解除エレメントの、斜めに延びる相補的な断面Ｕ字形ガイド内に係合する。スライド壁エレメントが上側の終端位置に位置した後、手による作動部材の操作時には、この作動部材の上昇運動に伴って、ブラケット端部の操作ウェブが自動的に断面Ｕ字形材内で上方に滑動するかもしくは操作ウェブと断面Ｕ字形材とが互いに相対的に移動させられる。これによって、ロック解除エレメントが、端壁に一部範囲でエプロン状に重なる長手方向壁に対して平行に水平外向きに運動させられる。係合をキー・溝結合に対応させて、操作ウェブの斜面とロック解除エレメントの断面Ｕ字形ガイドの斜面とを互いに相対的に移動させることによって、鉛直な作動部材運動から、ロック解除エレメントの、側壁に向けられた水平な運動への運動変向が行われ、これによって、結果的に端壁と長手方向壁との間のロックが無効にされる。
【００２５】
このために、本発明の１つの提案によれば、ロック解除エレメントが、操作ウェブを収容する断面Ｕ字形ガイドを起点として、この断面Ｕ字形ガイドに水平に続くロック解除ウェブもしくはロック解除舌片を備えており、このロック解除ウェブもしくはロック解除舌片が、それぞれ隣接した長手方向壁の角隅範囲に形成された、端壁に向かって突出しかつ端壁内に係止されたばね舌片に衝突する。端壁をロック解除するためには、作動部材の鉛直な持上げと、これにより開始される、ロック解除エレメントの運動変向とに際して、ばね舌片がロック解除ウェブもしくはロック解除舌片によって水平外向きに押圧される。次いで、こうしてロック解除された端壁を、ボックスもしくはコンテナの底部に結合されたヒンジを介して内向きに底面上に折り返すことができ、その後、長手方向壁をその上方に折り畳むことができる。
【００２６】
本発明の別の態様によれば、水平なロック解除ウェブが、その上下のウェブ面にばねアームを備えて形成されており、このばねアームが、水平な方向でかつ鉛直な方向で端壁の範囲内の補強リブに支持されている。ロック解除エレメントのＵ字形ガイドとロック解除ウェブとの間の移行範囲に一体成形されたばねアームによって、ブラケット状の作動部材を離した際に、作動部材の先行の鉛直な操作時にばねアームの変形により形成された戻し力に基づき、ロック解除ウェブを備えたロック解除エレメントがロック解除前の出発位置に自動的に戻される。
【００２７】
本発明の有利な提案によれば、スライド壁エレメントが、その下側の端部に成形されたフレキシブルなグリップポケットを有しており、このグリップポケットが、コンテナ内部に向けられた張出し部を備えて形成されており、この張出し部が、壁開口部を閉鎖する位置でこの壁開口部の水平な端縁部に載置されている。本発明の１つの態様により下方から上方に楔状に先細りにされて形成された張出し部がその下側の広幅の楔面で端縁部に載置されている限り、壁開口部を閉鎖する位置が確保される。
【００２８】
この場合、使用者が、有利には外側に位置する鉛直スリットを介して空隙を備えてスライド壁エレメントに配置されたグリップポケットを引っ張ると、張出し部が水平な端縁部から解放され、これによって、スライド壁エレメントを端壁に対して平行に所望の位置に移動させることができる。
【００２９】
本発明は、グリップポケットの上方で鉛直スリットの間のほぼ中間に配置された、引張負荷時のグリップポケットの最大の運動自由度を規定するウェブを提案している。これによって、グリップポケットが過伸長させられないようになっている。なぜならば、上側の端縁部でスライド壁エレメントに当て付けられるウェブが、グリップポケットの更なる引離しを阻止するからである。
【００３０】
有利には、張出し部に対応して、スライド壁エレメントの下方に移動させられた終端位置において端壁に収容部が配置されており、この収容部内に張出し部が位置していると、張出し部が常時応力にさらされる、すなわち、永久的に前方に押圧されることが回避されるだけでなく、たとえばコンテナが上下逆さに保持される場合にまたは自動的な搬送区間での搬送時の振動によって、スライド壁エレメントが望ましくない形式で他方の位置に変位させられないようにもなっている。
【００３１】
本発明の１つの提案によれば、張出し部の、壁開口部の端縁部に載置される面の高さにおいて、スライド壁エレメントの内面に、鉛直スリットに対して直角に線形に延びる突出部が設けられている。この突出部は、グリップポケットの引張りによって壁開口部の水平な端縁部から解放されたスライド壁エレメントが自由に可動に下方に滑動することを回避する。移動のためには、最小限の抵抗を提供する僅かな突出部が乗り越えられる。
【００３２】
本発明の別の態様によれば、スライド壁エレメントが、その全高さにわたって内向きに開いた、互いに間隔を置いて配置されたガイド通路を有しており、このガイド通路の延長線上において、端壁の外面に、この端壁の基端部にまで達した、ガイド通路内に係合する鉛直リブが形成されている。これによって、壁開口部を仕切るサイドガイドが補助され、たとえば自動的な搬送区間搬送時の振動により生じることがある引掛りが阻止される。
【００３３】
本発明の有利な態様によれば、端壁のサイドガイドが、壁開口部の上側の端部に、互いに向かい合ってそれぞれ１つの肩部状の支持ずれ部を備えて形成されており、この支持ずれ部が、下方から開いた中空室を有しており、この中空室内に、スライド壁エレメントの持ち上げられた終端位置において、このスライド壁エレメントの上側の角隅範囲に起立した状態に一体成形されたスライド壁突起が進入している。これによって、端壁のスライド壁エレメントに設けられたハンドグリップで把持される、物品が装入されたコンテナの搬送時に、最適化された力導入および力分配ならびに静特性とを達成することができる。
【００３４】
本発明の１つの態様によれば、一方のサイドガイドが、壁開口部の下方の一部区分にわたって凹部を備えて形成されている。ポケット状の自由室を提供する凹部内には、作動部材が予め組み付けられたスライド壁エレメントを片側で挿入することができ、その後、逆方向で反対側のサイドガイドにも嵌め込むことができる。
【００３５】
サイドガイドとスライド壁エレメントとが、封止体開口を備えており、この封止体開口が、スライド壁エレメントの持ち上げられた終端位置において、封止体の取付けのために整合して延びていることが提案される。この封止によって、盗難防止が可能となる。
【００３６】
本発明の別の提案によれば、スライド壁エレメントが、作動部材の組付けヘッドを収容するために、十字スリット孔を備えている。これに伴い異なる開口幅によって、フック状の組付けヘッドの差込みが可能となる。しかし、これによって、組付けヘッドが自動的に孔から進出することは阻止されている。コンテナが折り畳まれていて、その後、このコンテナをロボットによって自動的に組み立てたい場合には、十字スリット孔が同時にロボットに対する係合可能性として働くことができ、これによって、端壁が直立させられる。
【００３７】
本発明の更なる特徴および詳細は、図面に示した以下の本発明の実施の形態の説明および特許請求の範囲から明らかである。
【図面の簡単な説明】
【００３８】
【図１】直立させられてロックされた側壁を備えた本発明に係るコンテナを一方の端壁から見た斜視的な全体図であり、両端壁にスライド壁エレメントが配置されており、このスライド壁エレメントが片手ブラケット式のロック解除機構の作動部材を備えている。
【図２】図１の詳細として、上端部を縦断面図で示した一方のコンテナ端壁の斜視的な正面図である。
【図３】図２の端壁を、スライド壁エレメントを下方に移動させて、コンテナ取出し開口を開放した状態で示す図である。
【図４】前方の端壁において開放した取出し開口と、下側の終端位置に移動させられたスライド壁エレメントとを備えた完全なコンテナの斜視的な正面図である。
【図５】片手ブラケット式のロック解除機構の作動部材が装着されていないスライド壁エレメントを個別部材として外側から見た正面図である。
【図６】片手ブラケット式のロック解除機構が装着された壁スライドエレメントを内側から見た斜視図である。
【図７】端壁を壁スライドエレメントの一方のサイドガイドの範囲で縦断面して示したコンテナの斜視的な部分図である。
【図８】上側の終端位置における壁スライドエレメントを備えた一方の端壁を個別部材として内側から見た図である。
【００３９】
図１には、４つの側壁２，３，４，５を有するコンテナ１が示してある。両長手方向壁２，３と両端壁４，５とは、内方にコンテナ底部６上に折畳み可能に配置されている。このためには、端壁４，５の下側の端部にヒンジ７もしくはヒンジエレメントが一体成形されている（これについては図８も参照）。このヒンジ７を介して、端壁４，５を、対応するヒンジ収容部を有するコンテナ底部６に差し込むことができる。長手方向壁２，３もその下側の縁部に、相応のヒンジ７を備えている。このヒンジ７は、コンテナ底部６の相補的なヒンジ半部に差し込むために働く。長手方向壁２，３を、予めコンテナ底部６上に折り畳まれた端壁４，５上に折り畳むことができるようにするためには、長手方向壁２，３のヒンジが端壁４，５のヒンジ７よりも高い位置に配置されている。
【００４０】
長手方向壁２，３の角隅範囲は、それぞれ端壁４，５の端区分に僅かに重なるエプロン状の縁曲げ部もしくはフランジ８を備えて形成されている。端壁４，５は、起立した位置においてコンテナ内側からフランジ８に向かって当て付けられている。端壁４，５は、内向きに巻き込まれてフランジ８に形成された係止シェル２３によって位置決めされる（図４も参照）。この係止シェル２３は、端壁４，５の、向かい合って位置するリブ状の対応係止手段を巻き締めている。
【００４１】
長手方向壁２，３とフランジ８との間の移行範囲には、端壁４，５に向かって突出したばね舌片１０が形成されている（図４参照）。このばね舌片１０はフランジ８もしくは長手方向壁２，３から切り抜かれている。端壁４，５の起立時には、この端壁４，５が、結果的にスナップバックする（弾き戻る）ばね舌片１０によって、フランジ８を含む長手方向壁２，３に自動的にロックされる。
【００４２】
端壁４，５は、コンテナ上面を起点として一部の長さにわたって下向きに延びる壁開口部２４（図３、図４および図８参照）を備えて形成されている。この壁開口部２４を仕切る、端壁４，５の基端部にまで続くサイドガイド２５ａ，２５ｂには、スライド壁エレメント２６が配置されている。このスライド壁エレメント２６は端壁４，５に対して平行に、壁開口部２４を閉鎖する位置に移動することができるかまたはコンテナ内部への入口を備えた取出し開口として開放した位置（図３および図４参照）に移動することができる。
【００４３】
このためには、水平に突出した補強リブ１１と、鉛直に突出した補強リブ１２とを備えたスライド壁エレメント２６の外面に、それぞれ１つの作動部材１３が配置されている。この作動部材１３はブラケット状のグリップエレメントとして形成されている。ほぼ壁開口部２４の長さにわたって両サイドガイド２５ａ，２５ｂの間で延びる作動部材１３は、鉛直上向きに突出したブラケット端部１５を有している（図５および図６参照）。このブラケット端部１５は、補強リブ１１の間の自由室内に配置され、サイドガイド２５ａ，２５ｂ内に係合して、このサイドガイド２５ａ，２５ｂによって保持され、このサイドガイド２５ａ，２５ｂ内で矢印方向１４に、すなわち、昇降方向もしくは運動方向にガイドされる。
【００４４】
作動部材１３は、その両ブラケット端部１５に、鉛直方向で斜めに延びる操作ウェブ（もしくは操作リンク）１６を備えて形成されている。この操作ウェブ１６それ自体は、それぞれ壁開口部２４の左右両側で端壁４，５内に配置されたロック解除エレメント１８の、斜めに延びる相補的な断面Ｕ字形ガイド１７内に係合する。ロック解除エレメント１８は、操作ウェブ１６を収容する断面Ｕ字形ガイド１７を起点として、この断面Ｕ字形ガイド１７に水平方向に続くロック解除ウェブ（もしくはロック解除リンク）１９を備えている。このロック解除ウェブ１９は、端壁４，５の鉛直な補強リブ１２の孔内で水平方向にガイドされ、以下にさらに詳しく説明するロック解除動作時に、端壁４，５に向かって突出したばね舌片１０に衝突する。
【００４５】
スライド壁エレメント２６の従来のハンドグリップ２０の下側の縁部に沿ってガイドされて保持された作動部材１３には、ばね弾性的にプリロードがかけられている。このためには、作動部材１３の左右両側に、互いに近づく方向に向けられたばねプレート２１が設けられている。このばねプレート２１はその自由端部でスライド壁エレメント２６の水平な補強リブ１１に支持されているかもしくは補強リブ１１に掛け込まれている。
【００４６】
図５および図６に個別部材として示したスライド壁エレメント２６は、鉛直スリット２７の形の空所によってフレキシブルに形成されたグリップポケット２８を有している。このグリップポケット２８は、内側に位置する面（図６参照）に、下方から上方に楔状に先細りにされた張出し部２９を備えて形成されている。この張出し部２９は、スライド壁エレメント２６の、壁開口部２４を閉鎖する持ち上げられた終端位置において、張出し部２９の楔下面３０で壁開口部２４の水平な端縁部３１に載置されている。下方からのグリップポケット２８の把持もしくはグリップポケット２８内への手の掛込みによって、このグリップポケット２８を前方に引き出すことができ、ひいては、張出し部２９を端縁部３１から引き離すことができ、これによって、その後、スライド壁エレメント２６を、壁開口部２４を開放する下側の終端位置に移動させることができる。スライド壁エレメント２６の外面には、両鉛直スリット２７の間の中間に設けられた、グリップポケット２８の上縁部から延びるウェブ（薄片）４４が、ほぼ鉛直スリットの長さで上向きに延びている。このウェブ４４は、グリップポケット２８のフレキシビリティを制限するストッパを成していて、前方への運動を制限している。したがって、グリップポケットが過伸長させられないようになっている。
【００４７】
移動運動時にサイドガイド２５ａ，２５ｂを補助するためには、スライド壁エレメント２６に、内向きに開いた溝状のガイド通路３２が設けられている。このガイド通路３２の延長線上において、端壁４，５の外面には、この端壁４，５の基端部にまで達した、ガイド通路３２内に係合する鉛直リブ３３が形成されている。スライド壁エレメント２６の下側の終端位置では、張出し部２９に対応して端壁に収容部３４が配置されている。これによって、張出し部２９もしくはグリップポケット２８が常時応力にさらされないようになっている。したがって、材料疲労現象を回避することができる。さらに、収容部３４は、コンテナ１が上下逆さに保持されている場合に、下側の終端位置に位置するスライド壁エレメント２６が自動的に上側の終端位置に落下することを阻止する。さらに、これによって、スライド壁エレメント２６が、自動的な小型部品貯蔵において通常使用されるような自動的な搬送区間において、振動によって押し上げられるかまたは引っ掛かることを回避することができる。さらに、引っ掛かりは、ガイド通路３２と、このガイド通路３２に係合する鉛直リブ３３とによって阻止される。
【００４８】
スライド壁エレメント２６はその上側の角隅範囲に、起立した状態に一体成形されたピンとして形成されたスライド壁突起３５を有している。このスライド壁突起３５は、スライド壁エレメント２６の持ち上げられた終端位置において、端壁４，５の、壁開口部２４に隣り合ったサイドガイド２５ａ，２５ｂの中空室もしくは開口に進入している（図２参照）。このためには、端壁４，５が、壁開口部２４の両短辺上側に、互いに向かい合って幾分か壁開口部２４内に突入した肩部状のそれぞれ１つの支持ずれ部３６を備えている（図８も参照）。この支持ずれ部３６はサイドガイド２５ａ，２５ｂの構成要素も同時に成している。支持ずれ部３６は、スライド壁エレメント２６から端壁４，５に負荷がかけられた状態でのコンテナ１の取扱い時に力伝達の分配を補助する。したがって、端壁４，５が安定化させられる。こうして、コンテナの運搬時に生じる引張力だけでなく、複数のコンテナの上下の積層時にコンテナ上縁部に生じる押圧力も受け止められる。
【００４９】
さらに、スライド壁エレメント２６は、平行に互いに間隔を置いて配置された十字スリット孔３７を有している。この十字スリット孔３７内には、ブラケット状の作動部材１３のフック状の組付けヘッド３８を嵌め込むことができ、これによって、作動部材１３がスライド壁エレメント２６に予め組み付けられる（図６参照）。組付けヘッド３８で十字スリット孔３７内に差し込まれた作動部材１３は落下しないようになっている。
【００５０】
さらに、スライド壁エレメント２６は封止体開口３９を備えている。この封止体開口３９に対応して、端壁４，５のサイドガイド２５ａ，２５ｂには、スライド壁エレメント２６の持ち上げられた終端位置で封止体４０（図７参照）を取り付けるために、相応の封止体開口４１（図４参照）が配置されている。１つのラック平面で重なり合った、物品で満たされた複数のコンテナの場合、封止は盗難防止を提供している。なぜならば、権限のない者がスライド壁エレメント２６を、コンテナ内部への自由な入口を備えた開放された下側の終端位置に難なく移動させることができないからである。むしろ、この移動のためには、気づかれずに実施することはできない封止体４０の前もった除去が必要となる。
【００５１】
スライド壁エレメント２６を端壁４，５に組み込むためには、両サイドガイド２５ａ，２５ｂの一方が凹部４２を備えて形成されている。このことは、図７にサイドガイド２５ａにおいて認めることができる。凹部４２はサイドガイド２５ａにポケット状の自由室を提供している。この自由室内には、スライド壁エレメント２６の、サイドガイド２５ａに向けられたガイド形材を片側で差し込むことができる。その後、逆方向に向けられた運動によって、スライド壁エレメント２６の他方のガイド形材を他方のサイドガイド２５ｂ内に係止することができる。これによって、スライド壁エレメント２６が両側でサイドガイド２５ａ，２５ｂにより収容される。凹部４２は、サイドガイド２５ａの制限された長さにわたってしか延びていない。このことは、スライド壁エレメント２６が両終端位置でまたは中間位置で遊びなしにサイドガイド２５ａ，２５ｂ内に保持されることを保証している。さらに、スライド壁エレメント２６の移動運動時には、端壁４，５の、スライド壁エレメント２６のガイド通路３２内に収容された鉛直リブ３３が、誤差を減少させ、引っ掛かりの阻止を補助する。
【００５２】
スライド壁エレメント２６の、コンテナ１の壁開口部２４を閉鎖する終端位置では、楔状の張出し部２９が、端壁４，５の水平な端縁部３１に載置されている。壁開口部２４を開放するためには、グリップポケット２８が前方に引き出されて、張出し部２９が端縁部３１から遠ざけられる。スライド壁エレメント２６が自動的に即座に下側の終端位置に滑動しないように、グリップポケット２８の両側には、楔下面３０の高さで鉛直スリット２７に対して直角に延びる、ほんの僅かに突出したリブ状の突出部４３が設けられている（図６参照）。この突出部４３は、自動的な滑落を阻止する最小限の抵抗を成している。この抵抗は少ない力消費によって乗り越えることができ、これによって、次いで、スライド壁エレメント２６を手でコントロールしながら下側の終端位置にもしくは中間位置に移動させることができる。この場合には、作動部材１３のブラケット端部１５の操作ウェブ１６が、運動変向手段の、端壁に残された他方の部材のロック解除ウェブもしくはロック解除舌片１９の断面Ｕ字形ガイド１７から滑り出す。
【００５３】
壁開口部２４を再度閉鎖するためには、スライド壁エレメント２６が上方に引き上げられさえすればよい。張出し部２９が壁開口部２４の水平な端縁部３１を越えて、同時に作動部材１３のブラケット端部１５が、斜めに延びる操作ウェブ１６で運動変向手段の断面Ｕ字形ガイド１７内に再び進入すると、張出し部２９が、端縁部３１を乗り越えて突出して、スライド壁エレメント２６を位置保持する位置を自動的にとるようになる。
【００５４】
これに対して、コンテナ壁を折り合わせたい場合には、端壁４，５をコンテナ底部６上に折り込むために、長手方向壁２，３との係止結合の解除を前提として、スライド壁エレメント２６の閉鎖された終端位置において、作動部材１３が両手で持ち上げられる（図１の矢印方向１４で見て上向き）。その後、断面Ｕ字形ガイド１７によって収容された操作ウェブ１６が上向きに滑動する。これに伴って、ロック解除エレメント１８がロック解除ウェブ１９で水平にばね舌片１０の方向に移動させられる。その結果、このばね舌片１０が外向きに押圧され、端壁４，５がロック解除される。作動部材１３を離すことによって、この作動部材１３が、プリロードがかけられたばねプレート２１の戻し力によって自動的に下向きに出発位置に押圧される。これによって、同時に、ロック解除エレメント１８の上下に一体成形された、鉛直な補強リブ１２に支持されているばねアーム２２を介して、作動部材１３のばねプレート２１と協働して、ロック解除ウェブ１９の自動的な戻りが行われ、これによって、端壁が再度の折上げ時にもしくは起立時にばね舌片１０との係止結合部内に自動的にスナップ嵌めされる。
【符号の説明】
【００５５】
１  コンテナ／ボックス
２  長手方向壁
３  長手方向壁
４  端壁
５  端壁
６  コンテナ底部
７  ヒンジ
８  フランジ（縁曲げ部）
１０  ばね舌片状のロック手段／ばね舌片
１１  水平な補強リブ
１２  鉛直な補強リブ
１３  作動部材
１４  昇降方向
１５  作動部材端部／ブラケット端部
１６  操作ウェブ（運動変向手段の一方の部材）
１７  断面Ｕ字形ガイド（運動変向手段の他方の部材）
１８  ロック解除エレメント
１９  ロック解除ウェブ／ロック解除舌片
２０  ハンドグリップ
２１  ばねプレート
２２  ばねアーム
２３  係止シェル
２４  壁開口部
２５ａ，２５ｂ  サイドガイド
２６  スライド壁エレメント
２７  鉛直スリット
２８  グリップポケット
２９  張出し部
３０  楔下面
３１  端縁部
３２  ガイド通路
３３  鉛直リブ
３４  収容部
３５  スライド壁突起
３６  支持ずれ部
３７  十字スリット孔
３８  組付けヘッド
３９  （スライド壁エレメントの）封止体開口
４０  封止体
４１  （端壁の）封止体開口
４２  凹部
４３  突出部
４４  ウェブ
【図１】
0005362111.tif 000002
【図２】
0005362111.tif 000003
【図３】
0005362111.tif 000004
【図４】
0005362111.tif 000005
【図５】
0005362111.tif 000006
【図６】
0005362111.tif 000007
【図７】
0005362111.tif 000008
【図８】
0005362111.tif 000009